(57)【要約】【課題】従来からの音色鑑賞に加え釣鐘外において風力と連動した発光を伴う可視的観賞の両方が可能な風鈴を提供する。【解決手段】釣鐘から吊り下げられている紐や短冊に発光機能を持たせることにより、風力に連動した光の３次元的な揺らぎと音色とが混ざり合った従来にはない独特の鑑賞手段を有する発光風鈴が提供できる【選択図】  図１
2012024289.tif 000002
【特許請求の範囲】
【請求項１】
中が空である釣鐘に吊設された紐と前記紐の下端に吊り下げられた短冊とのいずれかまたはすべてが発光機能を有していることを特徴とする発光風鈴。
【請求項２】
請求項１で記載の紐は一部または全てが導電繊維または導電糸から構成されており、前記導電糸または前記導電繊維に直接接続された発光素子を備えていることを特徴とする請求項１に記載の発光風鈴。
【請求項３】
請求項１で記載の短冊は布または皮でできており、前記布または皮の構成要素の一部として導電繊維または導電糸を有し、前記導電繊維または導電糸を縦方向や横方向に織り込む、編み込む、縫込むことにより形成された回路パターン配線および発光素子を備えていることを特徴とする請求項１または２に記載の発光風鈴。
【請求項４】
請求項１で記載の短冊はその表面に導電インク、金属インク、半導体インク、絶縁インクを使った印刷法によって作成された配線パターンと発光素子とを備えた紙、布、皮またはフィルム状シートのいずれかであることを特徴とする請求項１または２で記載の発光風鈴。
【請求項５】
請求項２から４で記載の発光素子はLEDまたはEL（エレクトロルミネセンス）あることを特徴とする請求項１から４のいずれかに記載の発光風鈴。
【請求項６】
請求項２で記載の紐を構成している導電繊維または導電糸は釣鐘内または釣鐘外に配置された電源からの出力信号を取り出しているリード線と電気的に接続され、請求項目２から５で記載の発光素子にエネルギーを与えていることを特徴とする請求項１から５のいずれかに記載の発光風鈴。
【請求項７】
請求項６で記載の電源は、釣鐘内または釣鐘外に設置された風力を検知するための振動センサ、衝撃センサ、衝突センサ、風センサ、加速度センサ、音センサ、の中で少なくとも１つ以上のセンサにより風が発生した時にONになり、リード線および導電繊維または導電糸を通し請求項１から６で記載の紐と短冊とに含まれる請求項２から５で記載の発光素子へエネルギーを供給し所定の時間、連続的またはパルス的（点滅）に前記発光素子を発光させることを特徴とした請求項１から６のいずれかに記載の発光風鈴。
【発明の詳細な説明】
【技術分野】
【０００１】
本発明は風鈴に関するものである。
【背景技術】
【０００２】
従来の風を受けて鳴る風鈴は、上端が固定された紐により吊下げられた釣鐘（風鈴本体）と、釣鐘を貫通した紐に釣鐘内で取り付けられた振り子と、前記振り子と連なって紐の下端に吊下げられた短冊とから構成される。短冊が風力を受けると、短冊に連動して振り子が振られ、振り子が釣鐘内部に衝突して風鈴独特の音色を生じさせることが一般的に知られている。
【０００３】
しかし従来の風鈴では、風鈴と振り子とが衝突した際に生じる音色しか味わえないため、単調で飽きやすいといった問題を抱えている。  一方特許文献１および２では、短冊が受ける風により振り子が釣鐘内部に衝突した時、釣鐘内部で発光させる方法が記載されている。音と同時に視覚的にも風を観賞し得る風鈴が開示されているが、光は釣鐘内での発生に限定されており光の動的効果に乏しかった。
【特許文献１】特開２００１−２０９３８６号公報
【特許文献２】実用新案登録第３１２１１３０号公報
【発明の開示】
【発明が解決しようとする課題】
【０００４】
本発明は、従来からの音色鑑賞に加え釣鐘外において風力と連動した発光を伴う可視的観賞の両方が可能な風鈴を提供するものである。すなわち釣鐘から吊り下げられている紐や短冊に発光機能を持たせることにより、風力に連動した光の３次元的な揺らぎと音色とが混ざり合った従来にはない独特の鑑賞効果を演出させる発光風鈴を提供することを目的としている。また短冊や紐が風に揺られて大きく右左に躍動して発光するため遠方からでも人目につきやすく、例えば、短冊面を発光する広告や情報媒体として利用できる。このように短冊や紐に発光機能をもたせることにより娯楽、観賞、癒し、情報発信、広告、等従来以上に幅広い用途への使用が可能になる。
【課題を解決するための手段】
【０００５】
請求項１では、中空である釣鐘に吊設された紐と前記紐の下端に吊り下げられた短冊とのいずれかまたはすべてが発光機能を有した発光風鈴であることを特徴としている。同時に従来法により振り子にも発光機能を持たせることもできる。その結果、風により紐や短冊が連動して左右に大きく揺れると同時に短冊および紐が発光するという従来にはない光と音による風情のある３次元的な鑑賞空間が生まれる。
【０００６】
請求項２では、紐の一部または全てが導電繊維または導電繊維と絶縁繊維（非導電繊維）とを撚糸することにより得られる導電糸を含んでおり、導電糸または導電繊維に直接接続された発光素子を組込む（または埋込む）ことにより発光機能をもつ紐（「発光紐」または「光る紐」）であることを特徴としている。この場合、導電糸または導電繊維はその周辺を電気絶縁材で被覆して、お互いが接触した際の電気的短絡を防いだり耐水効果を持たせる必要がある。導電繊維または導電糸と発光素子との接続部分においては機械的方法や電気的方法や化学的方法などにより被覆を剥がして電気的に接続することができる。
【０００７】
請求項３では、布または皮でできた短冊において、前記布または皮の構成要素の一部として導電繊維または導電糸を有し、前記導電繊維または前記導電糸を織込む、編込む、縫込むなどにより形成された回路パターン配線と発光素子とを備えた短冊（「発光短冊」または「光る短冊」）であることを特徴としている。その結果、短冊としての概観を損なうことがなくかつ発光機能を持つ風鈴として音と光の同時鑑賞を提供できる。
【０００８】
導電繊維としては直径が１０μｍから５００μｍ程度の銅細線などで、その周辺をポリウレタンやポリエチレンなどの絶縁材で被覆された金属繊維（金属細線）や、前記導電繊維と従来からの絶縁繊維（非導電繊維）または絶縁糸とを撚糸した導電糸を使用する。
【０００９】
請求項４では、短冊は導電インク、金属インク、半導体インク、絶縁インクなどの各種インクを所定の方法で組み合わせで使用したスクリーン印刷法やインクジェット印刷法やグラビア印刷法などによって作成された配線パターンや電子部品や発光素子などから構成さ、その素材としては紙、布、皮またはフレキシブルなフィルム状シートのいずれかであることを特徴としている。その結果、短冊としての概観を損なうことがなくかつ発光機能を有する短冊（「発光短冊」または「光る短冊」）から構成される風鈴として音と光の同時鑑賞を提供できる。
【００１０】
請求項５では、発光素子は微小なLEDまたはEL（エレクトロルミネセンス）あることを特徴としている。特にLEDの場合は紐を構成している導電糸または絶縁糸の太さと同程度のサイズを有する素子（長さが０．１ｍｍから２ｍｍ、幅が０．１ｍｍから１ｍｍ程度のサイズを有する長方形状）を使用することを特徴としている。その結果短冊または紐としての概観を損なうことがないため従来の風鈴と同じよな概観を保ち音と光の同時鑑賞を提供できる。
【００１１】
請求項６では、紐の一構成要素である導電繊維または導電糸は釣鐘内または釣鐘外に配置された電源からの出力信号を取り出しているリード線と接続され、前記発光素子にエネルギーを与え発光させることを特徴としている。その結果、紐および短冊はそれぞれ発光機能を持つ「発光紐」および「発光短冊」が実現できる。
【００１２】
請求項７では、釣鐘内またはその近傍に風を検知するための振動センサ、衝撃センサ、衝突センサ、風センサ、加速度センサ、音センサなどの各種センサのうち少なくとも１以上のセンサを配置し、電源は風が発生した時には前記センサ信号によりONになり、連続またはパルス電圧を一定時間発生させ、前記電圧を取り出すリード線および前記リード線に電気的に接続されている導電繊維または導電糸を通して紐や短冊に含まれている発光素子へエネルギーを供給し連続的またはパルス的（点滅）に前記発光素子を発光させることを特徴としている。その結果、風鈴は風により音と光とのミックスした調和のとれた幻想的な３次元空間が実現できる。
【００１３】
また請求項７では風を検知するための上記各種センサのうち１個以上が振り子内に設置されており、釣鐘内または近傍に設置された電源は、前記振り子が釣鐘に衝突した際にセンサ信号によりONになり、連続またはパルス電圧を一定時間発生させ、前記電圧を取り出すリード線および前記リード線に接続された導電糸または導電繊維を有する紐を通し紐と短冊とに含まれる発光素子へエネルギーを供給し、連続的またはパルス的（点滅）に前記発光素子を発光させることを特徴としている。その結果、風により風鈴は音と光の調和のとれた幻想的な３次元空間が実現する。
【発明の効果】
【００１４】
短冊や紐は風に揺られて大きく右左に振動するため遠方からも非常に人目がつきやすく、特に発光する短冊は、娯楽、観賞、癒し、情報発信、広告、等の幅広い用途への応用が可能になる。風力に応じ短冊や紐は風に連動したダイナミックな動きを伴う発光空間を鑑賞することができる。
【発明を実施するための最良の形態】
【００１５】
本発明により図１のように、紐１３や短冊１５に発光機能を有する風鈴が実現し、その結果風力により紐や短冊が大きく左右に風と連動した独特の光の揺らぎが実現できる。具体的な実施例を以下で説明する。
【実施例１】
【００１６】
釣鐘１１はガラス、磁器、プラスチック或いは金属材等からなり、天井や軒下などから吊り下げられた風鈴の例が図２に示されている。また電源３１はボタン電池３２、LED駆動回路などで構成され、釣鐘１１の上端から紐で吊り下げられ釣鐘内に配置されている。電源３１の出力は導電糸３５入り紐１３に接続され、前記紐１３は振り子１４および短冊１５を吊り下げている。
【００１７】
ここで使用する導電糸は直径０．１ｍｍから１ｍｍ程度で、外部が被覆された１本または複数の導電繊維（直径１０μｍから５００μｍ程度の銅やステンレスなどで外側が絶縁膜で被覆された金属細線）とポリエステルなどの絶縁糸とを撚糸したものである。または前記導電繊維をそのまま導電糸として使用してもよい。なお、導電糸とLED電極やリード線とを電気的に接続する際は接続部分において導電糸の絶縁膜を加熱や研磨などで剥離するする必要がある。
【００１８】
紐１４は多数の糸から構成されている組紐または織紐で、その一部には導電糸３５を含んでおり、前記導電糸には糸の太さサイズの微小LEDチップ１６が直接接続されている（図３）。
【００１９】
布から成る短冊の例を図３に示す。短冊１５を構成する縦糸（非導電糸）および横糸（非導電糸）の一部は直径１００μｍ程度の導電繊維（銅などの金属細線）３６が規則的に置き換え織込まれている。そして導電繊維３６によりLED１６を動作させるための配線パターンを形成している。LED１６の電極と導電繊維３６は図のように直接接続してLEDの存在をできるだけわからないようにする。前記導電繊維のかわりに導電繊維とポリエステルなどの絶縁糸を撚り合わせた導電糸を使用してもよい。
【００２０】
電源３１には振り子１４が釣鐘１２の縁に衝突した際に発生する音を感知する音センサ３７が内蔵されている。前記音センサが音を検知すると電源３１は連続またはパルス状の出力電圧が一定時間発生する回路を有し、導電糸３５を通し紐１３および短冊１５に埋め込まれているLED１６を一定時間点灯または点滅させる。センサとしては音センサ以外に、加速度センサ、振動センサ、衝撃センサなどでもよい。
【００２１】
短冊の素材として皮やビニールなどの薄いシートを使用することもできる。この場合、ミシンなどにより導電糸を皮に縫込み配線パターンを形成することができる。
【００２２】
LEDの色として涼しさを感じる青や緑がよい。LEDによるロゴマークを作ってもよいし、店頭であればＰＲ用の記号や絵柄などを作ってもよい。また短冊に風鈴特有の柄をあらかじめ描画しておき、随所にLEDを配置する（散りばめる）こともできる。
【実施例２】
【００２３】
図４し示されている電源４１は釣鐘の上に置かれ、振り子４４とはリード線４２で接続されている。振り子４４内には振動センサまたは加速度センサなどのうちのいずれか１個のセンサ４７を有しており、その信号はリード線４２を通して電源４１に送信される。その結果電源４１からは一定時間連続またはパルス状の電圧を発生しLEDを点灯または点滅させる。
【００２４】
振り子内４４でリード線４２と接続された紐１４は、多数のLED１６を備えた図２、図３と同様な短冊１５を吊り下げている。
【００２５】
衝突時に釣鐘１１と振り子４４の接触部分に発生する音を最小限にするため、ゴムなどの消音
材を取り付けることにより、発光機能のみに制限することもできる。
【実施例３】
【００２６】
図５は振り子５４内に電源５１およびセンサ５７が配置された例である。センサとしては加速度センサ、衝撃センサ、衝突センサ、振動センサなどが適している。その他は実施例２と同じである。
【実施例４】
【００２７】
図６は実施例２と同じく電源６１を釣鐘の上に配置した例であるが、電源６１と振り子内６４に装着されたセンサ６７とはリード線６８で電気的に接続されている。さらに電源６１の出力は導電糸を有する紐６３を経て短冊６５へ導き、紐６３および短冊６５に含まれる発光素子にエネルギーを与えている。
【００２８】
短冊６５はフレキシブルな０．５ｍｍ程度の薄いフィルム状のプラスチックシート６９で構成されている。このシートをプリント基板（フレキシブル基板）として、この基板上にLED駆動用配線やLEDなどがプリント法などの微細加工法で作成してある。LEDの代わりにフィルム状のＥＬ(エレクトロルミネセンス)を作成してもよい。
【００２９】
図７にプリント法で作成された短冊６５の一例を示す。配線パターンは導電インクによって、電子部品やLED、ＥＬなどの発光素子は金属インク、半導体インク、絶縁インクなどによって印刷する。印刷法としてはスクリーン印刷、インクジェット印刷、グラビア印刷などを使用する。このようにして配線７１とLED６６および抵抗７２などの電子部品を作製する。LEDや抵抗などの電子部品は直接を貼り付けるなどにより組み込み配線と接続してよい。
【００３０】
紐を構成している導電糸は短冊であるフレキシブル基板に印刷された配線７１を電気的に接続してLED６０を動作させ発光させる。
【００３１】
短冊の素材としては、シート状の布、皮、紙などでもよい。それぞれの表面に同様な方法で配線パターンや発光素子などを印刷する。LEDや抵抗などの既存電子部品は直接を実装するなどにより組み込み配線と接続する。
【００３２】
紐および短冊に加え従来法により振り子にも発光機能を持たせることにより、風鈴全体に発光機能を持たせることが可能になる。
【００３３】
本発明は風鈴に吊設されている紐および短冊についての記載であるが、風鈴以外に例えば七夕などに使用される紐付き短冊などにも本発明による発光機能を持たせることにより、より風情のある鑑賞効果が期待できることはもちろんである。
【図面の簡単な説明】
【００３４】
【図１】発光風鈴の概観
【図２】布から成る「発光短冊」を備えた発光風鈴の一例（実施例１）
【図３】図２示された発光風鈴のうち電源３１、紐１３、短冊１５の詳細（実施例１）
【図４】釣鐘外に設置された電源およびセンサを備えた発光風鈴の一例（実施例２）
【図５】振り子内に電源およびセンサを備えた発光風鈴の一例（実施例３）
【図６】薄いシート（フレキシブル基板）からなる「発光短冊」を備えた発光風鈴（実施例４）
【図７】図６で使用したフレキシブル基板の一例
【符号の説明】
【００３５】
１０  発光風鈴
１２  釣鐘
１３  紐（発光紐）
１４  振り子
１５  短冊（発光短冊）
１６  LED
３１  電源
３２  ボタン電池
３３  リード線
３５  導電糸
３６  導電繊維
３７  センサ
４１  電源
４２  リード線
４３  振り子
４７  センサ
５１  電源
５４  振り子
５７  センサ
６１  電源
６２  釣鐘
６３  紐（発光紐）
６４  振り子
６５  短冊（発光短冊）
６６  ＬＥＤ
６７  センサ
６９  フレキシブル基板
７１  配線
７２  電子部品
【図１】
2012024289.tif 000003
【図２】
2012024289.tif 000004
【図３】
2012024289.tif 000005
【図４】
2012024289.tif 000006
【図５】
2012024289.tif 000007
【図６】
2012024289.tif 000008
【図７】
2012024289.tif 000009